(57)【要約】【課題】避難者が建物の避難側壁に沿って建物外部の地上面へと避難する避難機器を提供する。【解決手段】避難者が、支持手段１１０に支持されたボックス２０とロープ圧接手段６０とに亙って取着された避難者支持帯９０に腰掛けて、支持手段１１０からボックス２０を解放させ、ハンドル７０を回転操作して、回転車１０を回転操作手段８０により所定方向に回転させる。そして、建物の軒先に懸垂された滑車４０ａ、４０ｂと回転車１０とに亙って連続して巻掛けられて、一端がボックス２０に固定されて、他端が地上面方向へと垂下されたロープ５０に沿って、回転車１０を回転させながら、回転車１０が収納されたボックス２０を、避難者の身体と共に、建物の避難側壁に沿って、地上面へと降下させる。【選択図】図１
2008104604.tif 000002
【特許請求の範囲】
【請求項１】
回転車が回転自在に収納されたボックスと、建物の避難側壁外方に突出する軒先に回転自在に懸垂された滑車と、その滑車と前記ボックス内の回転車とに亙って連続して巻掛けられたロープであって、その一端がボックスに固定されて、その他端がボックスを貫いて前記建物の避難側壁下方の地上面に向けて垂下されたロープと、前記回転車に巻掛けられたロープ外側に回転ローラを押し付けて、その回転ローラによりロープを回転車に圧接させるロープ圧接手段と、前記ボックスに延設された避難者が回転操作するハンドルと、該ハンドルを回転操作することにより、前記ボックスに収納された回転車を回転させる回転操作手段と、前記ボックスとロープ圧接手段とに亙って取着された避難者支持帯と、前記ボックスを建物の避難口近くに解放可能に支持する支持手段とからなり、
前記ロープ圧接手段が、前記避難者支持帯に避難者の体重が加わった状態においては、前記回転ローラが回転車に接近して、その回転ローラにより前記ロープが回転車に圧接され、前記避難者支持帯に避難者の体重が加わらない状態においては、前記回転ローラが回転車から遠ざかって、回転ローラと回転車との間に生じた隙間を前記ロープが移動する構造に形成され、
前記ロープの一端から他端までの長さが、前記ボックスをロープに沿って地上面又は地上面近くまで降下させた状態において、前記滑車から地上面に向けて垂下されたロープの他端がボックスを貫いてボックス下方に突出する長さに形成されたことを特徴とする避難機器。
【請求項２】
前記滑車が建物の軒先の左右に２個並べて回転自在に懸垂されて、その２個の滑車と前記回転車とに亙って、その一端が前記ボックスに固定されて、その他端がボックスを貫いて建物の避難側壁下方の地上面に向けて垂下された前記ロープの中途部が連続して巻掛けられたことを特徴とする請求項１記載の避難機器。
【請求項３】
前記回転操作手段が、２個の傘歯車を介して、前記回転車の回転軸が、回転車が収納されたボックスの一方の側部外方に延設されたハンドルの回転軸に連結されたものであることを特徴とする請求項１又は２記載の避難機器。
【請求項４】
前記ロープの他端に、前記滑車から地上面方向に垂下されたロープを地上面方向に引っ張って緊張させた状態とする補助重りが取着されたことを特徴とする請求項１、２又は３記載の避難機器。
【請求項５】
前記ロープ圧接手段が、揺動アームが、その内端に回転自在に支持された回転ローラを前記回転車に接近させて回転車に巻掛けられたロープ外側に押し付けたり回転車から遠ざけたり可能なように、その避難者支持帯が取着された外端を前記ボックス外方に突出させて、ボックスに回動自在に支持されて、その揺動アーム内端に支持された回転ローラを回転車から遠ざける方向に揺動アームを回転させる付勢力を揺動アームに付与する付勢手段が備えられた構造をしていて、そのボックス外方に突出した揺動アーム外端に、避難者が手で掴む取手が備えられたことを特徴とする請求項１、２、３又は４記載の避難機器。
【請求項６】
前記建物の避難側壁外方に突出する軒先から避難側壁下方の地上面にかけて配設されたガイド筒と、そのガイド筒内側に摺動可能に挿通されたサブロープと、そのガイド筒内側に沿って地上面方向に垂下されたサブロープの他端に付設された、ガイド筒内側を昇降させる重りであって、その重りに加わる重力を利用して、前記建物の軒先に配設されたガイド筒の上開口端から延出したサブロープの一端に懸垂された前記ボックスを、それに取着された避難者支持帯と共に、ガイド筒の上開口端方向に引き上げる重りとが備えられたボックス上昇復帰機構であって、
前記サブロープの一端から他端までの長さが、前記ボックスが建物の避難口近くに上昇した状態において、前記重りがガイド筒内側を降下してガイド筒の下開口端下方に覗く地上面に到達した状態となる長さに設定されたボックス上昇復帰機構が設けられたことを特徴とする請求項１、２、３、４又は５記載の避難機器。
【発明の詳細な説明】
【技術分野】
【０００１】
本発明は、建物の避難側壁外側に設置して、地震や建物火災の際などに使用する、緊急避難用の避難機器に関する。
【背景技術】
【０００２】
建物の避難側壁外方に突出する軒先などに垂下されたロープを伝って避難者を建物外部の地上面へと避難させる緊急避難用の避難機器として、特開２００５−１６９０５５公報記載の避難装置や、実開平５−９１７０５号公報記載の避難者の自重を利用して地上面へと降下させる避難器具などが開発されている。
【特許文献１】特開２００５−１６９０５５号公報
【特許文献２】実開平５−９１７０５号公報
【発明の開示】
【発明が解決しようとする課題】
【０００３】
しかしながら、前者の避難装置は、１本のロープの中途部に取着された輪状のベルトに避難者の身体を巻き付ける等して、その１本のロープを支えに不安定な姿勢で避難者がロープを伝って建物の避難側壁外部の地上面に降下するものであって、避難者が安心感のある安定した状態で建物外部の地上面に避難できる構造をしていない。また、その避難者の身体を支持するベルトを１本のロープに沿って地上面へと降下させるベルト降下手段が、歯車機構を用いた複雑な構造をしていて、そのベルト降下手段が緊急避難時に避難者が誤りなく容易に操作できる構造をしてない。そのため、心が不安定で動揺した状態にある避難者が、そのベルト降下手段を誤りなく操作して、１本のロープを伝って安全かつ迅速に建物外部の地上面に避難できるか否かは、はなはだ疑問である。
【０００４】
後者の避難器具も、１本のロープの中途部に避難者の身体を吊り下げた不安定な姿勢で避難者が１本のロープを伝って建物外部の地上面に降下するものであって、避難者が安心感を持った安定した姿勢で建物外部の地上面に降下できる構造をしていない。また、その１本のロープの中途部に吊り下げた避難者の身体を、避難者の体重を利用して１本のロープに沿って地上面へと降下させる降下機構に、複雑な油圧調整機構が用いられていて、緊急避難時に、避難者が、その油圧調整機構を誤りなく容易に操作できる構造をしてない。そのため、後者の避難器具においても、心が不安定で動揺した状態にある避難者が、その油圧調整機構を誤りなく的確に操作して、１本のロープを伝って安全かつ迅速に建物外部の地上面に避難できるか否かは、はなはだ疑問である。
【０００５】
本発明は、このような課題に鑑みてなされたもので、地震や建物火災の際などの緊急時に、避難者が斜め横向き等の不安定な姿勢を取らずに、ほぼ垂直上方を向いた安心感のある安定した姿勢で、建物の避難側壁に沿って建物外部の地上面へと避難できる、避難機器を提供することを目的としている。
また、緊急避難時に、避難者が、誤りなく容易かつ的確に操作できる避難機器であって、心が不安定で動揺した状態にある避難者が、誤りなく操作して、安全かつ迅速に建物外部の地上面へと避難できる、避難機器を提供することを目的としている。
【課題を解決するための手段】
【０００６】
このような目的を達成するために、本発明の避難機器は、回転車が回転自在に収納されたボックスと、建物の避難側壁外方に突出する軒先に回転自在に懸垂された滑車と、その滑車と前記ボックス内の回転車とに亙って連続して巻掛けられたロープであって、その一端がボックスに固定されて、その他端がボックスを貫いて前記建物の避難側壁下方の地上面に向けて垂下されたロープと、回転ローラを回転車に巻掛けられたロープ外側に押し付けて、その回転ローラによりロープを回転車に圧接させるロープ圧接手段と、ボックスに延設された避難者が回転操作するハンドルと、該ハンドルを回転操作することにより、ボックスに収納された回転車を回転させる回転操作手段と、ボックスとロープ圧接手段とに亙って取着された避難者支持帯と、ボックスを建物の避難口近くに解放可能に支持する支持手段とからなっている。
ロープ圧接手段は、避難者支持帯に避難者の体重が加わった状態においては、回転ローラが回転車方向に接近して、その回転ローラによりロープが回転車に圧接され、避難者支持帯に避難者の体重が加わらない状態においては、回転ローラが回転車から遠ざかって、回転ローラと回転車との間に生じた隙間をロープが抵抗を受けずに自在に移動する構造に形成されている。
【０００７】
このような構成の避難機器においては、建物の避難口から地上面へと避難しようとする避難者は、支持手段により建物の避難口近くに支持されたボックスとロープ圧接手段とに亙って取着された避難者支持帯に腰掛ける等して、自己の身体をボックスに支持させた状態とすることができる。それに前後して、支持手段からボックスを解放させて、そのボックスを建物の避難側壁に沿って降下させることが可能な状態とすることができる。そして、そのボックスに自己の身体を支持させた避難者は、ボックスに延設されたハンドルを回転操作することにより、回転操作手段を用いて、ボックスに収納された回転車を所定方向に回転させることができる。そして、避難者は、建物の避難側壁外方に突出する軒先に回転自在に懸垂された滑車と、ボックスに収納された回転車とに亙って連続して巻掛けられて、一端がボックスに固定されて、他端がボックスを貫いて建物外部の地上面方向へと垂下されたロープに沿って、回転車を回転させながら、回転車が収納されたボックスを、そのボックスに支持させた自己の身体と共に、建物の避難側壁に沿って、その下方の地上面へと降下させることができる。
【０００８】
その際には、ロープ圧接手段を用いて、回転ローラにより、回転車に巻掛けられたロープを回転車に圧接させて、回転車がロープに対してスリップするのを防ぐことができる。そして、避難者は、回転車を、ロープに対してスリップさせずに、ロープに沿って所定方向に回転させながら、回転車が収納されたボックスを、自己の身体と共に、ロープを伝って、ロープが垂下された建物避難側壁外部の地上面へと安全に降下させることができる。
また、ボックスとロープ圧接手段とに亙って取着された避難者支持帯に腰掛ける等した避難者は、ボックスに延設されたハンドルを適度な速度で回転操作することにより、ボックスと共に、ロープを伝って、建物の避難側壁に沿って、地上面へと、適度な安全速度で遅滞なく降下できる。
【０００９】
その際には、避難者支持帯に避難者の体重が加わった状態となって、ロープ圧接手段の回転ローラが回転車に接近して、その回転ローラによりロープが回転車にスリップせぬように圧接された状態となる。そして、ハンドルを回転操作して回転車を回転させた際に、ロープが回転車や回転ローラに対してスリップせずに、回転車や回転ローラがロープに転がり接触し続けることになる。そのために、ロープと回転車の間やロープと回転ローラとの間に大きな摩擦力が働いて、それらのロープや回転車や回転ローラが早期に摩耗したり傷付いたりするのを防ぐことができる。
また、避難者が体重の軽い小児等の場合は、ロープ圧接手段の回転ローラによりロープが回転車に弱い力で圧接されることになる。逆に、避難者が体重の重い大人等の場合は、ロープ圧接手段の回転ローラによりロープが回転車に強い力で圧接されることになる。換言すれば、避難者の体重の軽重に応じて、回転ローラによりロープが回転車に適度な強弱の力で圧接されることになる。そのため、避難者の体重の軽重に拘わりなく、ロープが回転車に対してスリップするのを確実に防ぐことができる。また、回転ローラによりロープが回転車に過度に強く圧接された状態となって、回転車を回転させにくくなり、回転車を回転させるハンドルの回転操作が困難となるのを防ぐことができる。
【００１０】
また、本発明の避難機器は、ロープの一端から他端までの長さが、ボックスをロープに沿って地上面又は地上面近くまで降下させた状態において、滑車から地上面に向けて垂下されたロープの他端がボックスを貫いてボックス下方に突出する長さに形成されている。
従って、上記のようにして、避難者が、ボックスとロープ圧接手段とに亙って取着された避難者支持帯に腰掛ける等して、ボックスと共に、ロープを伝って、建物の避難側壁に沿って、建物外部の地上面へと降下して、地上面に降り立った際には、その避難者と共に地上面へと降下したボックスに一端が固定されて、建物の軒先に懸垂された滑車に巻掛けられて地上面へと垂下されたロープの他端が、ボックスを貫いてボックス下方に突出した状態となる。そのため、その建物の軒先に懸垂された滑車に巻掛けられて地上面へと垂下されたロープの他端の長さが不足しがちとなって、そのロープの他端から、ロープを伝って地上面へと降下させた回転車が収納されたボックスが抜け落ちてしまうのを、防ぐことができる。
【００１１】
また、上記のようにして、避難者が、ロープを伝って、ボックスと共に、地上面へと降下して、地上面に降り立った際には、ロープの他端がボックスを貫いてボックス下方に突出した状態となる。そのため、そのロープの他端を、地上面に居る避難者救出者等が、地上面方向に引っ張って、そのロープの他端を地上面へと手で繰り下げることができる。そして、そのロープの一端が固定されたボックスであって、建物の軒先に懸垂された滑車に巻掛けられたロープを介して建物の軒先に吊り下げられた、避難者を地上面へと降下させて軽量となったボックスを、それに取着された避難者支持帯と共に、建物の避難側壁に沿って、建物の窓、ベランダ、バルコニー等の避難口近くまで引き上げることができる。そして、そのボックスを、支持手段により、再び建物の避難口近くに解放可能に支持し直すことができる。そして、その避難者支持帯が取着されたボックスを、上記と同様にして、次の建物内に残る避難者を建物外部の地上面へと避難させる避難機器として、再利用できる。
【００１２】
本発明の避難機器においては、滑車が建物の軒先の左右に２個並べて回転自在に懸垂されて、その２個の滑車とボックスに収納された回転車とに亙って、その一端がボックスに固定され、その他端がボックスを貫いて建物の避難側壁下方の地上面に向けて垂下された前記ロープの中途部が連続して巻掛けられた構造とすると良い。
そして、ボックスが、建物の避難側壁外方に突出する軒先の左右に並べて回転自在に懸垂された２個の滑車に亙って連続して巻掛けられて、それらの２個の滑車の下方に垂下された左右２本のロープにより、ボックスが建物の避難側壁に沿って左右に傾かずにほぼ垂直上方を向いた安定した状態で吊り下げられるようにすると良い。そして、それらの２個の滑車から垂下された２本のロープに支持されたボックスが、左右のいずれか一方に傾くことなく、安定したほぼ垂直上方を向いた状態で、建物の避難側壁に沿って地上面へと降下するようにすると良い。そして、そのボックスに取着された避難者支持帯に腰掛ける等した避難者が、左右のいずれか一方に傾く等した不安定な不自然な姿勢を取らずに、ほぼ垂直上方を向いた安定した姿勢で、地上面へと降下できるようにすると良い。
【００１３】
本発明の避難機器において、回転操作手段は、２個の傘歯車を介して、回転車の回転軸が、回転車が収納されたボックスの一方の側部外方に延設されたハンドルの回転軸に連結された構造のものとすると良い。
そして、避難者がハンドルを回転操作することにより、そのハンドルの回転力を、２個の傘歯車を介して、ハンドルの回転軸に対してほぼ直角方向を向く回転車の回転軸に伝えられるようにすると良い。
また、ハンドルは、回転車の回転軸方向と同じボックスの前後方向に延設せずに、ボックスの一方の側部外方に延設させた構造とすると良い。そして、そのボックスの一方の側部外方に延設されたハンドルを、建物の避難側壁方向を向いた状態でボックスに取着された避難者支持帯に腰掛ける等した避難者が、不自然な姿勢を取らずに、ほぼ垂直上方を向いた安定した姿勢のまま、容易かつ的確に回転操作できるようにすると良い。
【００１４】
本発明の避難機器においては、ロープの他端に、滑車から地上面方向に垂下されたロープを地上面方向に引っ張って緊張させた状態とする補助重りが取着された構造とすると良い。
そして、その補助重りにより、建物の軒先に懸垂された滑車から地上面方向に垂下されたロープを地上面方向に引っ張って緊張させた状態に保持できるようにすると良い。そして、その弛みなく緊張させた状態に保持されたロープに沿って回転車を回転させながら、その回転車が収納されたボックスを地上面へと円滑に降下させられるようにすると良い。
【００１５】
本発明の避難機器においては、ロープ圧接手段が、揺動アームが、その内端に回転自在に支持された回転ローラを回転車に接近させさせて回転車に巻掛けられたロープ外側に押し付けたり回転車から遠ざけたり可能なように、その避難者支持帯が取着された外端をボックス外方に突出させて、ボックスに回動自在に支持されて、その揺動アーム内端に支持された回転ローラを回転車から遠ざける方向に揺動アームを回転させる付勢力を揺動アームに付与する付勢手段が備えられた構造をしていて、そのボックス外方に突出した揺動アーム外端に、避難者が手で掴む取手が備えられた構造とすると良い。
そして、そのロープ圧接手段の揺動アーム外端とボックスとに亙って取着された避難者支持帯に避難者が腰掛けたり、その避難者支持帯に腰掛けた避難者がハンドルを回転操作する際などに、その揺動アーム外端に備えられた取手を手で掴んで、自己の身体をボックスに支持できるようにすると良い。そして、避難者が、安定した姿勢で、避難者支持帯に腰掛けて、ハンドルを回転操作等できるようにすると良い。それと共に、避難者が手で掴んだ揺動アーム外端にその揺動アーム外端を下方に押し下げる力を加えられるようにして、その揺動アーム内端に支持された回転ローラを、付勢手段に抗して、回転車に巻掛けられたロープ外側に確実に押し付けられるようにすると良い。そして、ロープが回転車に対してスリップするのを、回転ローラにより確実に防げるようにすると良い。
【００１６】
本発明の避難機器においては、建物の避難側壁外方に突出する軒先から避難側壁下方の地上面にかけて配設されたガイド筒と、そのガイド筒内側に摺動可能に挿通されたサブロープと、そのガイド筒内側に沿って地上面方向に垂下されたサブロープの他端に付設された、ガイド筒内側を昇降させる重りであって、その重りに加わる重力を利用して、建物の軒先に配設されたガイド筒の上開口端から延出したサブロープの一端に懸垂されたボックスを、それに取着された避難者支持帯と共に、ガイド筒の上開口端方向に引き上げる重りとが備えられたボックス上昇復帰機構を設けると良い。
サブロープの一端から他端までの長さは、ボックスが建物の避難口近くに上昇した状態において、重りがガイド筒内側を降下してガイド筒の下開口端下方に覗く地上面に到達した状態となる長さに設定すると良い。
【００１７】
このボックス上昇復帰機構が備えられた避難機器にあっては、最初の避難者が、ボックスに取着された避難者支持帯に腰掛ける等して、前述のようにして、ボックスに延設されたハンドルを回転操作して、ボックスと共に、ロープを伝って建物の避難口から地上面へと避難した際には、サブロープの一端から他端までの長さが、ボックスが建物の避難口近くに上昇した状態において、重りがガイド筒内側を降下してガイド筒の下開口端下方に覗く地上面に到達した状態となる長さに設定されているため、その地上面又はその近くまで避難者支持帯に避難者を乗せて降下したボックスが一端に懸垂されたサブロープがガイド筒内側を上方に摺動して、そのサブロープの他端に付設された重りが、サブロープにより、ガイド筒内側に沿って引き上げられて、建物の軒先近くまで上昇した状態となる。
次いで、避難者支持帯から最初の避難者が降りて、ボックスが軽量となった際には、重りに加わる重力を受けて、その重りが他端に付設されたサブロープがガイド筒内側を下方に摺動して、そのサブロープの一端に懸垂されたボックスが、サブロープにより、建物の避難側壁に沿って引き上げられる。それと共に、そのサブロープの他端に付設された重りがガイド筒内側を降下して、ガイド筒の下開口端下方に覗く地上面に到達した状態となる。そして、その重りに加わる重力が零となって、その重りが他端に付設されたサブロープがガイド筒内側を下方に摺動するのが停止する。そして、そのサブロープの一端に懸垂されたボックスが、建物の軒先下方の避難口近くまで上昇して停止した状態となる。
そのため、その建物の避難口近くまで上昇して停止した状態となったボックスを支持手段に再び支持し直して、そのボックスに取着された避難者支持帯に、次の避難者が腰掛ける等できる。そして、そのボックスが備えられた避難機器を、次の避難者を建物外部の地上面へと避難させる避難機器に再利用できる。
以下、避難者支持帯に腰掛ける等した避難者がボックスと共に地上面又はその近くまで降下して、その避難者支帯から避難者が地上面へと降りる度毎に、ボックス上昇復帰機構により、上記のようにして、避難者が地上面へと降りて軽量となった避難者支持帯が取着されたボックスが建物の避難口近くまで上昇して停止した状態となる動作が繰り返し行われることになる。そのため、そのボックスが備えられた避難機器を、複数の避難者を建物外部の地上面へと次々と避難させる避難機器に繰り返し再利用できる。
【発明の効果】
【００１８】
以上説明したように、本発明の避難機器によれば、地震や建物火災の際などの緊急時に、避難者が、斜め横向き等の不安定な姿勢を取らずに、ほぼ垂直上方を向いた安心感のある安定した姿勢で、建物の避難側壁に沿ってロープを伝って建物外部の地上面へと避難できる。
また、本発明の避難機器によれば、避難者は、ボックスに取着された避難者支持帯に腰掛ける等した状態で、ボックスに延設されたハンドルを回転操作するだけで、建物の避難側壁に沿ってロープを伝って建物外部の地上面へと避難できる。そのため、心が不安定で動揺した状態にある避難者であっても、本発明の避難機器を、常に誤りなく容易に操作して、安全かつ迅速に建物外部の地上面へと避難できる。
さらに、ボックス上昇復帰機構が備えられた本発明の避難機器によれば、避難者が建物の避難側壁に沿ってロープを伝って建物外部の地上面へと避難した後に、避難者が地上面へと降り立って軽量となった避難者支持帯が取着されたボックスを、建物の避難口近くへと人手を掛けずに再び上昇させることができる。そして、そのボックスが備えられた避難機器を、複数の避難者が建物の避難口から建物外部の地上面へと次々と避難させる避難機器に繰り返し再利用できる。
【発明を実施するための最良の形態】
【００１９】
図１ないし図４は本発明の避難機器の好適な実施の形態を示している。以下に、この避難機器を説明する。
【００２０】
この避難機器は、回転車１０が回転自在に収納されたボックス２０と、建物の避難側壁外方に突出する軒先３０の左右に並べて回転自在に懸垂された２個の滑車４０ａ、４０ｂと、その２個の滑車周囲と回転車１０周囲とに亙って連続して巻掛けられたロープ５０であって、その一端がボックス２０の一方の側部上端に固定されて、その他端がボックス２０側壁に開口された遊挿穴を通してボックス２０を上下方向に貫いて建物の避難側壁下方の地上面１００に向けて垂下されたロープ５０と、回転車１０に巻掛けられたロープ５０外側に回転ローラ６２を押し付けて、その回転ローラ６２によりロープ５０を回転車１０に圧接させるロープ圧接手段６０と、ボックス２０に延設された避難者が回転操作するハンドル７０と、そのハンドル７０を回転操作することにより、ボックス２０に収納された回転車１０を回転させる回転操作手段８０と、ボックス２０とロープ圧接手段６０とに亙って取着された、避難者を乗せる避難者支持帯９０と、ボックス２０を建物の避難口近くに離脱可能に支持する支持手段１１０とからなっている。
【００２１】
避難者支持帯９０が取着されたロープ圧接手段６０は、避難者が避難者支持帯９０に腰掛ける等して、避難者支持帯９０に避難者の体重が加わった状態においては、図３に示したように、回転ローラ６２が回転車１０に接近して、その回転ローラ６２が回転車１０に巻掛けられたロープ５０外側に回転ローラ６２を押し付け、ロープ５０が回転車１０にスリップせぬように圧接されるように構成されている。また、避難者が避難者支持帯９０から降りる等して、避難者支持帯９０に避難者の体重が加わらない状態においては、図２に示したように、ロープ圧接手段の回転ローラ６２が回転車１０から遠ざかって、回転ローラ６２と回転車１０との間に生じた隙間１００をロープ５０が抵抗を受けずに自在に移動するように構成されている。
具体的には、揺動アーム６４が回転車１０近くのボックス２０内側に回動自在に支持されて、その揺動アーム６４内端に、回転ローラ６２が回転自在に支持されている。揺動アーム６４の外端は、ボックス２０側壁に開口された長穴２２を貫いてボックス２０外方に突出している。そして、その長穴２２を貫いてボックス２０の内外に亙って配置された揺動アーム６４が、ボックス２０に上下方向に正逆に回動可能なように支持されている。揺動アーム６４内端とボックス２０内側壁とに亙っては、揺動アーム６４を正回転させる付勢力を揺動アーム６４に付与する付勢手段を構成する引っ張りコイルばね６６が張設されている。なお、付勢手段は、揺動アーム６４を正回転させる付勢力を揺動アーム６４の回転軸に与えるゼンマイばね等から構成することも可能である。そして、その張りコイルばね６６の引っ張り力を受けて、揺動アーム６４が正回転して、揺動アーム６４内端に支持された回転ローラ６２が回転車１０から遠ざかる方向に移動するように構成されている。そして、回転ローラ６２と回転車１０との間に隙間１００が生ずるように構成されている。ボックス２０外方に突出した揺動アーム６４外端には、避難者支持帯９０の一端が取着されている。そして、避難者支持帯９０に避難者が腰掛ける等して、その避難者支持帯９０が取着された揺動アーム６４外端に避難者の体重が加わった場合には、張りコイルばね６６の引っ張り力に抗して、揺動アーム６４が逆回転して、その揺動アーム６４内端に支持された回転ローラ６２が回転車１０にその斜め下側から接近するように構成されている。そして、回転ローラ６２が回転車１０に巻掛けられたロープ５０外側に押し付けられて、ロープ５０が回転車１０に圧接されるように構成されている。
【００２２】
また、ロープ圧接手段６０を上記のように構成することにより、避難者が体重の軽い小児等の場合は、ロープ圧接手段の回転ローラ６２によりロープ５０が回転車１０に弱い力で圧接されるようにしている。逆に、避難者が体重の重い大人等の場合は、ロープ圧接手段の回転ローラ６２によりロープ５０が回転車１０に強い力で圧接されるようにしている。そして、避難者の体重の軽重に応じて、回転ローラ６２によりロープ５０が回転車１０に適度な強弱の力で圧接されるようにしている。そして、避難者の体重の軽重に拘わりなく、ロープ５０が回転車１０に対してスリップするのを確実に防げるようにしている。また、回転ローラ６２によりロープ５０が回転車に過度に強く圧接された状態となって、回転車１０を回転させにくくなり、回転車１０を回転させるハンドル７０の回転操作が困難となるのを防げるようにしている。
【００２３】
回転操作手段８０は、図４に示したように、２個の傘歯車８０ａ、８０ｂを介して、回転車の回転軸１０ａがハンドルの回転軸７０ａに連結された構造をしている。
そして、ハンドル７０を回転操作することにより、ハンドル７０の回転力を、２個の傘歯車８０ａ、８０ｂを介して、ハンドルの回転軸７０ａに対してほぼ直角な方向を向く回転車の回転軸１０ａに伝えられるようにしている。
また、ハンドル７０が、回転車の回転軸１０ａと同じボックス２０の前後方向に延設されずに、ボックス２０の一方の側部外方に延設された構造をしている。そして、そのボックス２０の一方の側部外方に延設されたハンドル７０を、建物の避難側壁方向を向いた状態でボックス２０に取着された避難者支持帯９０に腰掛ける等した避難者が、不自然な姿勢を取らずに、ほぼ垂直上方を向いた安定した姿勢のまま、容易かつ的確に回転操作できるようにしている。
傘歯車８０ａ、８０ｂ周囲は、避難者の安全を図る目的で、安全カバー８０ｃにより覆われている。
【００２４】
避難者支持帯９０は、図４に示したように、ハンモック状をしていて、その一端がボックス２０の一方の側壁に取着され、その他端がボックス２０の他方の側壁外方に突出した揺動アーム６４後端に取着されている。避難者支持帯９０下端の内側縁中途部は、バンド９２を介して、ボックス２０の裏側壁に固定されている。そして、そのバンド９２を跨いで、避難者が、ハンモック状をした避難者支持帯９０に安定した姿勢で腰掛ける等できるようにしている。
なお、避難者支持帯９０は、避難者の身体に巻き付けて、避難者がボックス２０に支持されるバンド構造とすることも、可能である。
【００２５】
支持手段１１０は、図２と図３に示したように、建物の軒先３０からフレキシブルな紐を介して懸垂されたフック１１２を、ボックス２０裏側壁上端に付設された止め金具の穴１１４に引掛けることにより、ボックス２０を建物の避難口近くに解放可能に支持する構造をしている。
【００２６】
図１ないし図４に示した避難機器は、以上のように構成されていて、この避難機器を用いて、避難者が建物の避難口から建物外部の地上面へと避難する際には、図２に示したように、ボックス２０を、支持手段１１０により、建物の避難口近くに予め支持した状態としておく。そして、その避難口近くに支持されたボックス２０に取着された避難者支持帯９０に、図１に示したように、避難者が腰掛ける等して、自己の身体をボックス２０に支持させた状態とする。そして、図３に示したように、その避難者支持帯９０に腰掛ける等した避難者の体重を避難者支持帯９０に加えて、ロープ圧接手段の揺動アーム６４を、引っ張りコイルばね６６の引っ張り力に抗して、逆回転させ、揺動アーム６４内端に支持された回転ローラ６２を、回転車１０方向に接近させる。そして、その回転ローラ６２をロープ５０外側に押し付けて、ロープ５０を回転車１０に圧接させた状態とする。
それに前後して、支持手段１１０を解放させる。具体的には、図３に示したように、建物の軒先３０に懸垂されたフック１１２を、ボックス２０裏側壁上端に付設された止め金具の穴１１４から離脱させる。そして、ボックス２０をロープ５０に沿って降下可能な状態とする。
次いで、そのボックス２０に取着された避難者支持帯９０に腰掛ける等した避難者により、ボックス２０に延設されたハンドル７０を、図１に示した矢印方向に回転操作させて、ハンドル７０に回転操作手段８０を介して連結された回転車１０を、図３に示した矢印方向に回転させる。そして、避難者と、その避難者の身体を支持させたボックス２０とを、建物の軒先３０の左右に並べて回転自在に懸垂された２個の滑車４０ａ、４０ｂと、回転車１０とに亙って連続して巻掛けられて、一端がボックス２０に固定され、他端が建物外部の地上面１００方向へと垂下されたロープ５０に沿って、回転車１０を所定方向に回転させながら、建物の避難側壁下方の地上面１００へと降下させる。
その際には、ロープ圧接手段の回転ローラ６２を、避難者の体重に応じた適度な押圧力で、ロープ５０外側に押し付けて、そのロープ５０を適度な押圧力で回転車１０に圧接させた状態とする。そして、そのロープ５０が回転車１０に対してスリップするのを防ぐ。
すると、図５に示したように、避難者支持帯９０に腰掛ける等した避難者は、ボックス２０と共に、ロープ５０を伝って、建物避難側壁下方の地上面１００へと安全に降下できる。
その際には、ボックス２０の左右の側部が、建物の軒先３０の左右に並べて回転自在に懸垂された２個の滑車４０ａ、４０ｂに亙って連続して巻掛けられて、それらの２個の滑車４０ａ、４０ｂの下方に垂下された左右２本のロープ５０により、ボックス２０が建物の避難側壁に沿って左右に傾かずにほぼ垂直上方を向いた安定した状態で吊り下げられることとなる。そして、それらの２個の滑車４０ａ、４０ｂから垂下された２本のロープ５０に支持されたボックス２０が、左右いずれか一方に傾くことなく、安定したほぼ垂直上方を向いた状態で、建物の避難側壁に沿って地上面１００へと降下することになる。
そのため、そのボックス２０に取着された避難者支持帯９０に腰掛ける等した避難者は、左右いずれか一方に傾く等した不安定で不自然な姿勢を取らずに、ほぼ垂直上方を向いた安定した姿勢のままの状態で、地上面１００へと降下できる。
また、その際には、ボックス２０に取着された避難者支持帯９０に腰掛ける等した避難者は、ボックス２０の一方の側部外方に延設されたハンドル７０を回転操作するだけで、ロープ５０を伝って、ボックス２０と共に、建物の避難側壁に沿って、地上面１００へと、安全かつ迅速に降下できる。
【００２７】
この避難機器においては、図５に示したように、ロープ５０の一端から他端までの長さが、ボックス２０をロープ５０に沿って地上面１００又は地上面１００近くまで降下させた状態において、建物の軒先３０に懸垂された滑車４０ａ、４０ｂから地上面１００に向けて垂下されたロープ５０の他端がボックス２０を貫いてボックス２０下方に突出する長さに形成されている。
従って、避難者が、上記のようにして、ボックス２０に取着された避難者支持帯９０に腰掛ける等して、ボックス２０と共に、ロープ５０を伝って、建物の避難側壁に沿って、地上面１００へと降下し、地上面１００に降り立った際には、図５に示したように、その地上面１００に向けて垂下されたロープ５０の他端が、ボックス２０を貫いてボックス２０下方に突出した状態となる。
そのため、そのボックス２０下方に突出したロープ５０の他端を、地上面１００に居る避難者救出者等が、地上面１００方向に引っ張って、そのロープ５０の他端を地上面１００へと手で繰り下げることができる。そして、そのロープ５０の一端が一方の側部上端に固定されたボックス２０であって、２個の滑車４０ａ、４０ｂに亙って連続して巻掛けられたロープ５０を介して、建物の軒先３０に吊り下げられた、避難者を地上面１００へと降下させて軽量となったボックス２０と、それに取着された避難者支持帯９０とを、建物の避難側壁に沿って、建物上方の軒先３０近くの、建物の窓、ベランダ、バルコニー等の避難者の避難口まで引き上げることができる。そして、そのボックス２０を、支持手段１１０により、建物の避難口近くに解放可能に支持し直すことができる。そして、そのボックス２０が備えられた避難機器を、上記と同様にして、建物内に残る次の避難者を建物外部の地上面１００へと避難させるための、避難機器として、再利用できる。
【００２８】
この避難機器においては、図５に示したように、ロープ５０の他端に、滑車４０ａ、４０ｂから地上面１００に向けて垂下されたロープ５０を地上面１００方向に引っ張って緊張させた状態とする補助重り１２０を取着すると良い。
そして、その補助重り１２０により、滑車４０ａ、４０ｂから地上面１００方向に垂下されたロープ５０を地上面１００方向に引っ張って緊張させた状態に保持できるようにすると良い。そして、その弛みなく緊張させた状態に保持されたロープ５０に沿って、回転車１０を支障なく回転させながら、その回転車１０が収納されたボックス２０を地上面１００へと円滑に降下させることができるようにすると良い。
【００２９】
また、図２や図３に示したように、ボックス２０外方に突出する揺動アーム６４外端には、避難者が手で掴む取手１３０を備えると良い。
そして、避難者がボックス２０とロープ圧接手段の揺動アーム６４外端とに亙って取着された避難者支持帯９０に腰掛ける際や、その避難者支持帯９０に腰掛ける等した避難者が、ハンドル７０を回転操作する際などに、その揺動アーム６４外端に備えられた取手１３０を手で掴んで、自己の身体をボックス２０に支持させることができるようにすると良い。そして、避難者が、安定した姿勢で、避難者支持帯９０に腰掛けたり、ハンドル７０を回転操作したり等できるようにすると良い。それと共に、避難者が揺動アーム６４外端にその揺動アーム６４外端を押し下げる方向に力を加えて、その揺動アーム６４内端に支持された回転ローラ６２を、回転車１０に巻掛けられたロープ５０外側に確実に押し付けられるようにすると良い。そして、ロープ５０が回転車１０に対してスリップするのを、確実に防げるようにすると良い。
【００３０】
なお、この避難機器においては、建物の軒先３０に１個の滑車（図示せず）が懸垂されて、その滑車とボックス２０に収納された回転車１０とに亙って、その一端がボックス２０に固定され、その他端が建物の避難側壁下方の地上面１００に向けて垂下されたロープ５０が連続して巻掛けられた構造とすることも可能である。
【００３１】
図６ないし図９は本発明の避難機器の他の好適な実施の形態を示している。以下に、この避難機器を説明する。
【００３２】
この避難機器においては、避難者支持帯９０から避難者が地上面１００に降りて軽量となったボックス２０を、建物の避難口近くまで引き上げる、ボックス上昇復帰機構２００が設けられている。
具体的には、建物の避難側壁外方に突出する軒先３０から避難側壁下方の地上面１００にかけて、ガイド筒２１０が配設されている。ガイド筒２１０は、図８に示したように、小径ガイド筒２１２後端が、建物の避難側壁に沿って上下方向に配設された大径ガイド筒２１４上端に連結された構造をしている。小径ガイド筒２１２の中途部２箇所は、所定方向にＬ字状に折曲されている。そして、その小径ガイド筒２１２の中途部とその後部が建物の軒先３０下面に沿って配設されている。小径ガイド筒２１２先部は、下方に垂下されていて、ガイド筒の上開口端２１６が、ボックス２０方向を向いている。小径ガイド筒２１２と大径ガイド筒２１４とが連結されてなるガイド筒２１０内側には、サブロープ２２０が摺動可能に挿通されている。大径ガイド筒２１４内側に沿って地上面１００方向に垂下されたサブロープ２２０の他端には、大径ガイド筒２１４内側を昇降させる重り２３０が付設されている。そして、その重り２３０に加わる重力を利用して、建物の軒先３０に配設されたガイド筒の上開口端２１６から延出したサブロープ２２０の一端に懸垂されたボックス２０に取着された避難者支持帯９０から避難者が地上面１００に降りて軽量となったボックス２０を、ガイド筒の上開口端２１６方向に引き上げることができるようにしている。
サブロープ２２０の一端から他端までの長さは、図１０に示したように、ボックス２０が建物の避難口近くに上昇した状態において、重り２３０がガイド筒２１４内側を降下してガイド筒の下開口端２１８下方に覗く地上面１００に到達した状態となる長さに設定されている。
【００３３】
その他は、図１ないし図４に示した前述の避難機器と同様に構成されている。
このボックス上昇復帰機構２００が備えられた避難機器の使用に際しては、最初の避難者は、前述のようにして、ボックス２０に取着された避難者支持帯９０に腰掛ける等して、ボックス２０に延設されたハンドル７０を回転操作することにより、その避難者支持帯９０に腰掛ける等した避難者が、ボックス２０と共に、ロープ５０を伝って建物の避難口から地上面１００へと避難できる。
また、そのようにして、最初の避難者がボックス２０と共にロープ５０を伝って地上面１００へと降下した際には、サブロープ２２０の一端から他端までの長さが、図１０に示したように、ボックス２０が建物の避難口近くに上昇した状態において、重り２３０がガイド筒２１０内側を降下してガイド筒の下開口端２１８下方に覗く地上面１００に到達した状態となる長さに設定されているため、その地上面１００又はその近くまで避難者支持帯９０に避難者を乗せて降下したボックス２０が一端に懸垂されたサブロープ２２０がガイド筒２１０内側を上方に摺動して、そのサブロープ２２０の他端に付設された重り２３０が、図１１に示したように、サブロープ２２０により、ガイド筒２１０内側に沿って引き上げられて、建物の軒先３０近くまで上昇した状態となる。
次いで、避難者支持帯９０から最初の避難者が地上面１００へと降りて、ボックス２０が軽量となった際には、重り２３０に加わる重力を受けて、その重り２３０が他端に付設されたサブロープ２２０がガイド筒２００内側を下方に摺動して、そのサブロープ２２の一端に懸垂されたボックス２０が、サブロープ２２０により、図１０に示したように、建物の避難側壁に沿って引き上げられる。それと共に、そのサブロープ２２０の他端に付設された重り２３０がガイド筒２１０内側を降下して、図１０に示したように、ガイド筒の下開口端２１８下方に覗く地上面１００に到達した状態となる。そして、その重り２３０に加わる重力が零となって、その重り２３０が他端に付設されたサブロープ２２０がガイド筒２１０内側を下方に摺動するのが停止する。そして、そのサブロープ２２０の一端に懸垂されたボックス２０が、建物の軒先３０下方の避難口近くまで上昇して停止した状態となる。
そのため、その建物の避難口近くまで上昇して停止した状態となったボックス２０を、図１０に示したように、支持手段１１０に再び支持し直して、そのボックス２０に取着された避難者支持帯９０に、次の避難者が腰掛ける等できる。そして、そのボックス２０が備えられた避難機器を、次の避難者を建物外部の地上面１００へと避難させる避難機器に再利用できる。
以下、避難者支持帯９０に腰掛ける等した避難者がボックス２０と共に地上面１００又はその近くまで降下して、その避難者支帯９０から避難者が地上面１００へと降りる度毎に、ボックス上昇復帰機構２００により、上記のようにして、避難者が地上面１００へと降りて軽量となった避難者支持帯９０が取着されたボックス２０が建物の避難口近くまで上昇して停止した状態となる動作が繰り返し行われることになる。そのため、そのボックス２０が備えられた避難機器を、複数の避難者を建物外部の地上面１００へと次々と避難させる避難機器に繰り返し再利用できる。
【００３４】
図６ないし図９に示したボックス上昇復帰機構が備えれられた避難機器においては、その大径ガイド筒２１４側壁に沿って、通気孔（図示せず）を複数並べて設けると良い。そして、その通気孔を通して、大径ガイド筒２１４の内外に亙って空気が自由に出入できるようにすると良い。そして、重り２３０が、大径ガイド筒２１４内側空間に滞留する空気の抵抗を受けずに、大径ガイド筒２１４内側を円滑に昇降できるようにすると良い。
【産業上の利用可能性】
【００３５】
本発明の避難機器は、地震や火災などの緊急時に、建物内に居る避難者が、建物の窓、バルコニー、ベランダ等の建物の避難口から、建物外部の地上面へと安全に脱出するための、構造が簡単で操作の容易な汎用性のある避難機器として、広く利用可能である。
【図面の簡単な説明】
【００３６】
【図１】本発明の避難機器の使用状態説明図である。
【図２】本発明の避難機器の正面断面図である。
【図３】本発明の避難機器の正面断面図である。
【図４】本発明の避難機器の平面断面図である。
【図５】本発明の避難機器の使用状態説明図である。
【図６】本発明の避難機器の正面断面図である。
【図７】本発明の避難機器の側面断面図である。
【図８】本発明の避難機器のガイド筒の構造説明図である。
【図９】本発明の避難機器の正面断面図である。
【図１０】本発明の避難機器の使用状態説明図である。
【図１１】本発明の避難機器の使用状態説明図である。
【符号の説明】
【００３７】
１０  回転車
２０  ボックス
３０  建物の軒先
４０ａ、４０ｂ  滑車
５０  ロープ
６０  ロープ圧接手段
６２  回転ローラ
６４  揺動アーム
６６  コイルばね
７０  ハンドル
８０  回転操作手段
８０ａ、８０ｂ  傘歯車
９０  避難者支持帯
１００  隙間
１００  地上面
１１０  支持手段
１１２  フック
１１４  止め金具の穴
１２０  補助重り
１３０  取手
２００  ボックス上昇復帰機構
２１０  ガイド筒
２２０  サブロープ
２３０  重り
【図１】
2008104604.tif 000003
【図２】
2008104604.tif 000004
【図３】
2008104604.tif 000005
【図４】
2008104604.tif 000006
【図５】
2008104604.tif 000007
【図６】
2008104604.tif 000008
【図７】
2008104604.tif 000009
【図８】
2008104604.tif 000010
【図９】
2008104604.tif 000011
【図１０】
2008104604.tif 000012
【図１１】
2008104604.tif 000013